(57)【要約】      （修正有）【課題】種々の式典や祝い事の席において、酒や水が振舞われることは世界各国で執り行われている。お祝いなどに相応しい煌びやかさをその飲料に加え、豪華な雰囲気を与える容器用付属器具を提供する。【解決手段】液体を収容する容器の注ぎ口に着脱可能に装着して用いられる容器付属器具１であって、液体の中に分散される分散物と、分散物を収容する収容体とを備え、収容体は、容器の注ぎ口に液密に装着すること及び脱着することが可能な筒状体と分散物の前記容器内の液体へ落下前は、筒状体の出口側端部を覆い、分散物の流出を阻止する出口側被覆体と、筒状体の入口側端部を開放可能に覆い、覆うときには、分散物の流出を阻止し、開放されたときには、分散物の容器内の前記液体へ落下可能である、入口側被覆体と、入口側被覆体を開放させる開放機構と、を備える。【選択図】図１
0003222979.tif 000002
【実用新案登録請求の範囲】
【請求項１】
液体を収容する容器の注ぎ口に着脱可能に装着して用いられる容器付属器具であって、
前記液体の中に分散される分散物と、
前記分散物を収容する収容体と、を備え、
前記収容体は、
前記容器の注ぎ口に液密に装着すること及び脱着することが可能な筒状体と
前記分散物の前記容器内の前記液体へ落下前は、前記筒状体の出口側端部を覆い、前記 分散物の流出を阻止する出口側被覆体と、
前記筒状体の入口側端部を開放可能に覆い、覆うときには、前記分散物の流出を阻止し、開放されたときには、前記分散物の前記容器内の前記液体へ落下可能である、入口側被覆体と、
前記入口側被覆体を開放させる開放機構と、
を備える容器付属器具。
【請求項２】
前記出口側被覆体は、被覆体として覆われた状態において、前記分散物の流出を阻止すると同時に、前記液体の流出を可能にする請求項1に記載の容器付属器具。
【請求項３】
前記開放機構は、前記容器付属器具が前記容器の注ぎ口に装着されたときに、前記入口側被覆体が前記容器の注ぎ口に押圧されて破壊されるように、前記入口側被覆体を構成したものである請求項１に記載の容器付属器具。
【請求項４】
前記開放機構は、前記容器付属器具が前記容器の注ぎ口に装着されたときに、前記入口側被覆体を細長状の器具で突くことにより、前記入口側被覆体が破壊されるように、前記入口側被覆体及び前記出口側被覆体を構成したものである、請求項１に記載の容器付属器具。
【請求項５】
前記開放機構は、前記容器付属器具が前記容器の注ぎ口に装着されたときに、前記出口側被覆体の外側から細長状の器具で突くことにより、前記入口側被覆体の一部が弾性的に変形して開口部を形成し、前記器具を引き上げると、前記一部が弾性的に復元し前記開口部を閉塞するように、前記入口側被覆体及び前記出口側被覆体を構成したものである、請求項１に記載の容器付属器具。
【請求項６】
前記開放機構は、前記入口側被覆体に連結し、前記出口側被覆体の上方にまで延び、前記入口側被覆体を押下げる押下げ部材を有し、当該押し下げ部材の頭部を押し下げることにより、前記入口側被覆体が下方に移動して、前記筒状体の入口側端部を開放するように、前記入口側被覆体及び前記出口側被覆体を構成したものである、請求項１に記載の容器付属器具。
【請求項７】
前記分散物が、1色以上のカラーの鉱物、トルマリン、サファイア、ダイヤモンド、ガラス、真珠等、或いは金属、金箔である事を特徴とする請求項1から6のいずれかに記載の容器付属器具。
【請求項８】
請求項１から7いずれかに記載の容器付属器具と、当該容器付属器具が注ぎ口に着脱可能に装着される飲料用容器を備える飲料容器セット。
【請求項９】
各々が、請求項１から7いずれかに記載の容器付属器具である複数の容器付属器具を備え、当該複数の容器付属器具は、前記分散物の素材、色、形状、大きさのうちの少なくとも1つが互いに異なっており、前記複数の容器付属器具が注ぎ口に着脱可能に装着される複数の飲料用容器を、さらに備える飲料容器セット。
【考案の詳細な説明】
【技術分野】
【０００１】
本発明は、飲料を納めた容器に、鉱石、貴金属、ガラス等の価値を持つ分散物を飲料と区別して保持する機構を持ち、任意のタイミングで、飲料内に分散物を落とし、飲料内に加えることができる容器付属器具、及びこれと組み合わせる飲料用容器からなる飲料用容器セットに関するものである。
【背景技術】
【０００２】
容器の表面に装飾を施したもの、或いはビンや陶器に詰めた酒に添加する形で金箔が使われるのが一般的である。
【先行技術文献】
【特許文献】
【０００３】
【特許文献１】実用新案登録第3150698
【特許文献２】実用新案登録第3126858
【特許文献３】特開平9−234053
【特許文献４】特開平5−260938
【考案の概要】
【考案が解決しようとする課題】
【０００４】
種々の式典や祝い事の席において、酒や水が振舞われることは世界各国で執り行われおり、これらの飲料を収納する容器として、ガラス製や金属製、磁器製、プラスチック製等が利用されている。飲料容器の外装に工夫された例は多いが、注がれた飲料の煌びやかさは、不足している。
【課題を解決するための手段】
【０００５】
上記課題を解決するために、本発明は、飲料容器に、金・白金・銀・銅等の貴金属、稀少鉱物、ダイヤモンド、サファイヤ、着色、或いはカットされたガラス等の価値の高い素材を保持する部分が飲料と分離されて保持出来るように、工夫されている。更に、必要なタイミング、例えば飲料を飲むときに、上記保持部分から飲料内に上記素材が落とし込まれるように工夫し、グラスなどに注がれた飲料がその場の雰囲気に豪華な印象を与え、お祝いの席では、人々の心に満足を与えるものである。
このような手段によって、飲料、或いは容器の金銭的価値を向上させ、更に上記飲料が振る舞われた席では、煌びやかさを演出する事が可能となるので、上記課題を解決している。
【考案の効果】
【０００６】
容器内部に、金粉や金箔等の無機物体を存在させる方法は日本酒等の酒税メーカーから販売されている。
本特許は、容器付属器具によって保持される宝石、貴金属等からなる分散物が、飲料中に落下する事によって、容器に保持される飲料の価値を向上させ、本容器が使用される場に煌びやかな印象を与え、更にその場を盛り上げる効果を有することを期待するものである。
【図面の簡単な説明】
【０００７】
【図１】本考案の容器付属器具を含む、飲料用容器全体の構成の一例を示したものである。
【図２】本考案の飲料用容器に取り付ける容器付属器具で注ぎ口をねじ込む方式とした一実施例を示したものである。
【図３】本考案の容器付属器具を飲料用容器にねじ込む方式で取り付けた時、入口側被覆体を破損させるプロセスを示したものである。
【図４】本考案の飲料用容器に取り付ける容器付属器具で注ぎ口にオーリングを用いた一実施例を示したものである。
【図５】本考案の飲料保存容器に取り付けた容器付属器具の入口側被覆体を破損させる機構の一例を示したものである。
【図６】本考案の容器付属器具を飲料用容器に押し込む方式で取り付けた時、入口側被覆体を破損させるプロセスを示したものである。
【図７】本考案の飲料用容器に取り付ける容器付属器具の一実施例を示したものである。
【図８】本考案の容器付属器具で、入口側被覆体を細長状の器具で破損させる構造を持つ一実施例を示したものである。
【図９】本考案の容器付属器具を飲料保存容器の注ぎ口内側に取り付けた際の分散物の飲料中への落下方式の一実施例を示したものである。
【図１０】本考案の容器付属器具で、入口側被覆体を弾性体で作製したもので、金属バネ材料を用いた一実施例を示したものである。
【図１１】本考案の容器付属器具で、入口側被覆体を金属のような弾性体で構成した際の容器付属器具と分散物の飲料中への落下プロセスを示したものである。
【図１２】本考案の容器付属器具で、出口側被覆体に固定された押し下げ部材が分散物を押す事により入口側被覆体を破壊して、分散物を飲料中へ落下させるプロセスを示したものである。
【図１３】本考案の容器付属器具で、入口側被覆体を弾性体で作製したもので、ゴムのように弾性域の広い材料を用いた一例を示したものである。
【図１４】本考案の容器付属器具で、入口側被覆体を弾性体で構成した際の容器付属器具と分散物の飲料中への落下プロセスを示したものである。
【図１５】本考案の容器付属器具で、入口側被覆体を籠形状とした際の容器付属器具の構成と分散物の飲料中への落下プロセスを示したものである。
【図１６】本考案の容器付属器具と飲料容器のセットで、その組み合わせの一例を示すものである
【考案を実施するための形態】
【０００８】
雲母（mica）など珪酸塩鉱物を水に溶かすことで抗菌性や臭い消し効果があることは周知である。また、鉄、銅、亜鉛などの金属には、触媒作用があり、物質変換を触媒することが知られている。このような作用は、種々の金属を含有する、いわゆる宝石類など希少鉱物にも期待できるのみならず、宝石類のような貴重品を帯持させることで、視覚的にも好ましく、その製品の価値を高める補完効果が期待できる。
【実施例】
【０００９】
以下、本発明による容器付属器具、及び飲料用容器セットについて、図面を参照して説明する。
【００１０】
実施例１
図１は、本発明の飲料用容器の構成を示す図である。飲料中に装飾品、トルマリンなどの宝石や金箔などの貴金属、を分散させる機能を持つ容器付属器具１と飲料を保存する飲料保存容器8から構成される。図1に示すように、容器内から飲料が零れないように、容器キャップ１６を容器付属器具１に取り付ける事も可能である。
【００１１】
図２は、上記容器付属器具１の詳細な構成を示すものである。筒状体構造物５の中に、分散物４を保持するため、出口側は出口側被覆体２、入口側は入口側被覆体３によって挟まれている。更に、筒状構造体５には、飲料保存容器８に固定されるように内側にネジが切られている。更に、キャップを取り付けるため、外周部にもネジ部を設けている。但し、キャップ固定用にネジである必要はない。筒状構造体は、金属、ペットなどのプラスチック等容器に用いられる材料である。分散物４は、飲料中に落下した際、見た目の豪華さを必要とするため、例えば、多くの色のエーションを持つトルマリン（鉱物）、煌びやかな宝石類、着色されたガラス、金粉等で構成され、単一でも複数種の組み合わせでも良い。但し、飲料中に人に害を与えるような成分が溶け出さない材料を選択する必要がある。出口側被覆体２は、上記分散物４が直接飲料と一緒に出ないように、ここでは、分散物の大きさよりも細かい網状になっており、分散物４は流出しないが、液体である飲料は流れ出るようになっている。出口側被覆体２の材料は、金属、樹脂、シリコンゴム等がある。入口側被覆体３は、容器内の飲料に分散物４を落下させるように構成される。入口側被覆体３の材料は、容易に破壊されるようなフィルム、又は閉じた状態と開いた状態を可逆的に移行できる弾性体である。
【００１２】
図３は、容器付属器具１を飲料用容器８にねじ込む方式で取り付けた時、入口側被覆体３を破損させるプロセスを示したものである。飲料を保持する飲料保存容器８には、飲料保存容器側ねじ込み部７aが、容器付属器具１には容器付属器具側ねじ込み部６が設けられ、容器付属器具１をねじ込む事によって、飲料保存容器８と連結する。この場合、容器側ねじ込み部７aの先端７bが容器付属器具１に設けられた入口側被覆体３に接触、この入口側被覆体３が破壊される事によって、分散物４が飲料中に落下する。飲料中に落下した分散物４は光を反射しながら落下する。この光を反射する効果によって、飲料の豪華さ、綺麗さが、人々に大きな感銘を与える事になる。飲料保存容器８が一般的なガラスである場合、容器用付属器具１の筒状構造体５は、金属、プラスチックなど、異種材料の方が、液体漏れを防ぐために望ましい。
【００１３】
図４は、ねじ込み部をオーリングタイプにしたもので、ねじ込むのでなく、容器付属器具1を飲料保存容器８に押し込む事になる。オーリング９は、容器付属器具１に取り付けている。ねじ込み部は、瓶の材料として一般的なガラスと密着性が高く、一定の変形量を持つ樹脂、ゴム、具体的にはシリコン樹脂、ブチルゴムなどが適する。容器付属器具１に、容器用ストッパ１０が設けられている。このストッパは、容器付属器具1の押し込み量を制御して、飲料保存容器８内に必要以上押し込まれないような効果を持つ。容器用ストッパ１０が無いと、容器用付属器具１と飲料保存容器８のガラス部同士が接触して、どちらかが破損する危険があるのでこれを防ぐものである。
【００１４】
図５は、飲料保存容器８に取り付けた容器付属器具の入口側被覆体３を破損させる機構を示すものである。入口側被覆体破壊機構１１は薄い金属箔であり、容器付属器具１の内側に沿って、移動して、入口側被覆体３に接触して、破壊する。入口側被覆体破壊機構１１は、金属である必要は無く、硬質プラスチック等、他の材料でも問題ない。
【００１５】
図６は、容器付属器具１を飲料用容器８に押し込む方式で取り付けた時、入口側被覆体３を破損させるプロセスを示したものである。オーリング９は、容器付属器具１に取り付けている。オーリング９は、容器付属器具１、又は飲料保存容器８どちらか一方に取り付ければ良いが、飲料保存容器８は、一般にガラス製が多いので、容器付属器具１に取り付ける方が容易に製造出来る。オーリングの場合、ねじ込む必要が無く、押し込むだけで良いので、機構としては簡素で、量産時もコスト低減が可能である。但し、容器付属器具１が、ねじ込み式よりも外れやすくなる。使用する環境、シチュエーション、コスト等によって、ねじ込み式、又は押込式、どちらかを選択する。
【００１６】
本実施例は、少なくとも二つの部分から構成される飲料用容器である。販売において、飲料用保存容器８は、飲料を収納する機能を持ち、日本酒、ワイン、ウィスキー、水など、各種飲料が収納され、飲料が漏れないように蓋付きとなっている。容器付属器具１は、分散物４、具体的には飲料内に入る貴金属、宝石を清潔に保てるように、例えば食品用フィルムで包装される。分散物４を保持する部分、入口側被覆体３も食品用フィルム包装によって、清潔に保持される。飲料用保存容器８と筒状構造物５は、ガラス、磁器、金属、プラスチック、木などと一般に容器に使われる素材であり、組合せることで多様性を担保出来る。材料の組み合わせは、連結時に飲料が漏れない事が重要である。飲料が満たされた飲料保存容器８と分散物４を保持する容器付属器具１を組み合わせた飲料用容器であるので、分散物４を飲料保存容器8内部に落下させやすく、飲料を飲み終わった後に、容器用付属器具１を分離して、上記分散物４を回収しやすくなっている。
【００１７】
実施例2
図７は、飲料保存容器８、これの注ぎ口部分に挿入される容器付属器具１、及び容器キャップ１６を示している。本実施例では、飲料保存容器８の注ぎ口に容器付属器具１が挿入固定され、これに容器キャップ１６を組み合わせる。
【００１８】
図８は、容器付属器具１の構成、形状の一例を示すものである。筒状体５の外径は、飲料保存容器8の注ぎ口の内径に合わせており、注ぎ口の内側に取り付けられる。注ぎ口と接触して、飲料保存容器8中への移動を規制する容器付属器具１の規制部材１８を設けている。更に、容器付属器具１には、出口側被覆体２と入口側被覆体３が設けられている。出口側被覆体２は、注ぎ口からの分散物の飛び出しを防止するため、分散物４の大きさより細かい網状になっている。更に、中央部には、押し棒１９が取り付けられている。押し棒先端部２０は、ここでは鋭利な形状で、あるが、分散物４の飲料中への落下方法によって形状を変える事が出来る。押し棒１９は、必要以上に容器内に入らないように押し棒の規制部材２１が取り付けられている。
【００１９】
図９は、落下手法の一例を示すもので、押し棒１９の先端部を鋭利な形状とする事によって、入口側被覆体３に穴を空ける手段を示したものである。容器キャップ１６を飲料保存容器８の注ぎ口に押しつける事によって、容器キャップ１６側に設けた押し下げ部材１７が押し棒１９を押す。この押し棒１９の先端は鋭利な形状となっており、この先端が入口側被覆体３を破壊することによって、分散物４が飲料中に落下する。ここでは、押し棒１９を容器キャップ１６に設けた押し下げ部材１７によって押しているが、この機構に限定される訳で無く、例えば、押し棒１９を指で押しても良い。
【００２０】
図１０は、入口側被覆体３を弾性体、例えばバネ用ステンレスを用いて構成した一例である。入口側被覆体３を飲料用容器８の容器側から見たもので半円状の切り欠き部１２を形成し、その一部を連結部１３として残す事によって弾性特性を入口側被覆体３に持たせている。上記発明では、入口側被覆体３を破壊するため、容器用付属器具１は一度だけしか利用出来なかったが、本発明では、繰り返し利用が可能となる。
【００２１】
図１１は、図１０に示した入口側被覆体３を用いた際の分散物４の飲料中への落下プロセスを示している。容器キャップ１６側に設けた押し下げ部材１７が押し棒１９を押す。押し棒１９が入口側被覆体３を押した場合、切り欠き部１２のみ変形し、空いた穴から分散物４が飲料中に落下する。落下後、容器キャップ１６を元に戻すと入口側被覆体３の弾性特性に因って、再度入口側被覆体３の切り欠き部１２が元の位置に戻り、入口側被覆体３の開口部を塞ぐ。この機構によって、容器用付属器具１を一度限りでなく、複数回利用する事が可能になる。但し、押し棒１９は、容器キャップ１６を用いて押し下げる必要は無く、例えば指で押しても良い。
【００２２】
図１２は、押し棒先端部２０の形状が容器付属器具１の筒状構造体５の内形状とほぼ同じになっており、押し棒１９を押すと分散体４を介して入口側被覆体３を押すので、その結果破壊する。図１２では、容器キャップ１６を飲料保存容器８の注ぎ口に押しつける事によって、容器キャップ１６側に設けた押し下げ部材１７が押し棒１９を押している。この場合、押し棒先端部２０のフラット部は、出口側被覆体２と同様、分散物４は通さないが、飲料は通過するような金網状とする事によって、分散物４の注ぎ口側からの流出を防ぐ。但し、押し棒１９は、容器キャップ１６を用いて押し下げる必要は無く、例えば指で押しても良い。
【００２３】
図１３は、容器付属器具１の入口側被覆体３を弾性体、例えばゴムを用いて構成した一例である。中心に向かって設けられた直線状の縦糸１４と上記直線状の縦糸を円形状に繋いだ横糸１５から、構成される。初期状態では、分散物４よりも、小さな隙間となるように、縦糸１４と横糸１５を組み合わせる。上記横糸１５は、ゴムのように弾性域の大きい弾性体である。縦糸１４は、弾性を持つ方が好ましいが、弾性を持たなくても構成可能である。弾性が小さければ、中心部の円形部が大きくなり、ここから分散物４が落下する。
【００２４】
図１４は、図１３に記載の入口側被覆体３を用いた容器付属器具１から分散物４が落下するプロセスを示したものである。図１２と同様、この入口側被覆体３上に分散物４を配置し、押し棒１９で分散物４を押し込むと弾性体である入口側被覆体３が下方向に伸びる。伸びる事によって、縦糸１４と横糸１５で作られた隙間が拡大し、分散物４の外形より隙間が大きくなった時、この隙間から分散物４が落下する。全て落下した後は、押し棒１９を元の位置に戻すか、取り外せば、入口側被覆体３も初期状態に戻り、隙間が分散物４より小さくなるので、一旦飲料中に落下した分散物４は注ぎ口から、出ることはない。この場合、入口側被覆体３は、分散物４の注ぎ口からの飛び出しを防ぐ機能を持っているので、出口側被覆体２は、初期状態で分散物４の飛び出しを防げば、分散物４の飲料中への落下後は、取り除かれても良い。押し棒１９を押す方法は、容器キャップ１６を用いても、指でも、どちらも良い。分散物４の落下後は、押し棒１９は抜き取っても問題ない。
【００２５】
図１５は、容器付属器具１に押し棒先端部２０を籠状にした押し棒１９を用いて、分散物４を飲料中に落下させるものである。押し棒１９が押される前の状態は、押し棒先端部２０が籠形状であり、その外枠が、容器付属器具１の筒状構造物５と接触し、隙間を塞いで分散物４を保持する。容器キャップ１６側に設けた押し下げ部材１７が押し棒１９を押すと、籠形状部が移動して籠形状部と筒状体５との間に隙間が生じ、この隙間から分散物４が落下する。籠形状部は、前記出口側被覆体２と同様、分散物４は通さないが、液体は通すような金網状である必要がある。この場合、前記出口側被覆体２は、分散物４の落下前であれば、分散物を通さない機能を持てば良く、落下後の使用時に取り除いても問題ない。同図中には、押し棒先端部２０を自動的に元の位置へ戻すため、弾性ゴム２２を取り付けている。弾性ゴム２２は、出口側被覆体に取り付けても良いし、別途押し棒１９を固定するための構造体を設けても良い。
【００２６】
本発明の場合、飲料保存容器8と容器付属器具１を予め組み合わせ、容器キャップ１６をセットして販売する事も出来るが、飲料保存容器8と容器付属器具１を別々に販売する事も可能である。例えば、飲料保存容器８として、既存で、販売されている一般的な飲料を購入し、注ぎ口のサイズに合わせた容器付属器具１を購入して、組み合わせれば良い。
【００２７】
実施例3
飲料を保持する飲料保存容器8と分散物４を保持する容器付属器具１を分離することによって、飲料と分散物の組み合わせを自由に選ぶことが可能になる。図１６は、その一例を示すもので、複数の容器用付属器具１と複数の異なる飲料の入った飲料容器２３の組み合わせを示している。同図中、例えば、日本酒では、金箔が組み合わせられる事が多いが、材質を変更して複数の色を持つトルマリンを組み合わせれば、海外の人へアピールする事も出来る。同じ材質、例えばトルマリンの場合、色を変える事が出来るので、好みによって色で選択する事も出来る。結婚披露宴などでは、乾杯にシャンパンが用いられるが、日本を含むアジア圏では、シャンパンに金箔、真珠などを組み合わせても良い。
【００２８】
この構成にする事によって、お客様に飲料と分散物の組み合わせに選択の自由が生まれ、宴会などで楽しさが増すことが期待出来る。
【符号の説明】
【００２９】
１  容器付属器具
２  出口側被覆体
３  入口側被覆体
４  分散物
５  筒状構造物
６  容器付属器具側ねじ込み部
７a  飲料保存容器側ねじ込み部
７b  飲料保存容器側ねじ込み部の先端
８  飲料保存容器
９  オーリング
１０  容器用ストッパ
１１  入り口側被覆体破壊機構
１２  入口側被覆体に設けられた切り欠き部
１３  入口側被覆体に設けられた連結部
１４  入口側被覆体を構成する縦糸
１５  入口側被覆体を構成する円状横糸
１６  容器キャップ
１７  押し下げ部材
１８  容器付属器具の規制部材
１９  押し棒
２０  押し棒先端部
２１  押し棒の規制部材
２２  弾性ゴム
２３  飲料容器
【図１】
0003222979.tif 000003
【図２】
0003222979.tif 000004
【図３】
0003222979.tif 000005
【図４】
0003222979.tif 000006
【図５】
0003222979.tif 000007
【図６】
0003222979.tif 000008
【図７】
0003222979.tif 000009
【図８】
0003222979.tif 000010
【図９】
0003222979.tif 000011
【図１０】
0003222979.tif 000012
【図１１】
0003222979.tif 000013
【図１２】
0003222979.tif 000014
【図１３】
0003222979.tif 000015
【図１４】
0003222979.tif 000016
【図１５】
0003222979.tif 000017
【図１６】
0003222979.tif 000018
【手続補正書】
【提出日】令和1年7月5日(2019.7.5)
【手続補正１】
【補正対象書類名】実用新案登録請求の範囲
【補正対象項目名】全文
【補正方法】変更
【補正の内容】
【実用新案登録請求の範囲】
【請求項１】
液体を収容する容器の注ぎ口に着脱可能に装着して用いられる容器付属器具であって、
前記液体の中に分散される分散物と、
前記分散物を収容する収容体と、を備え、
前記収容体は、
前記容器の注ぎ口に液密に装着すること及び脱着することが可能な筒状体と
前記分散物の前記容器内の前記液体へ落下前は、前記筒状体の出口側端部を覆い、前記 分散物の流出を阻止する出口側被覆体と、
前記筒状体の入口側端部を開放可能に覆い、覆うときには、前記分散物の流出を阻止し、開放されたときには、前記分散物の前記容器内の前記液体へ落下可能である、入口側被覆体と、
前記入口側被覆体を開放させる開放機構と、
を備える容器付属器具。
【請求項２】
前記出口側被覆体は、被覆体として覆われた状態において、前記分散物の流出を阻止すると同時に、前記液体の流出を可能にする請求項1に記載の容器付属器具。
【請求項３】
前記開放機構は、前記入口側被覆体によって構成され、当該入口側被覆体は、前記容器付属器具が前記容器の注ぎ口に装着されたときに、前記容器の注ぎ口に押圧されることにより破壊可能なフィルムにより構成されている請求項１に記載の容器付属器具。
【請求項４】
前記開放機構は、棒軸方向に移動可能に前記出口側被覆体を貫通する押し棒と、前記入口側被覆体とを含み、当該入口側被覆体は、前記押し棒が押されることにより、その先端により破壊する被覆体により構成されている、請求項１に記載の容器付属器具。
【請求項５】
前記開放機構は、棒軸方向に移動可能に前記出口側被覆体を貫通する押し棒と、前記入口側被覆体とを含み、当該入口側被覆体は、弾性体により構成され、一部に切り欠き部を有し、前記押し棒が押されることにより、その先端により前記切り欠き部が開くように構成されている、請求項１に記載の容器付属器具。
【請求項６】
前記開放機構は、前記入口側被覆体に連結し、前記出口側被覆体の上方にまで延び、前記入口側被覆体を押下げる押下げ部材を有し、当該押し下げ部材の頭部を押し下げることにより、前記入口側被覆体が下方に移動して、前記筒状体の入口側端部を開放するように、前記入口側被覆体及び前記出口側被覆体を構成したものである、請求項１に記載の容器付属器具。
【請求項７】
前記分散物が、1色以上のカラーの鉱物、トルマリン、サファイア、ダイヤモンド、ガラス、真珠、或いは金属、金、白金、銀、金箔、金粉である事を特徴とする請求項1から6のいずれかに記載の容器付属器具。
【請求項８】
請求項１から7いずれかに記載の容器付属器具と、当該容器付属器具が注ぎ口に着脱可能に装着される飲料用容器を備える飲料容器セット。
【請求項９】
各々が、請求項１から7いずれかに記載の容器付属器具である複数の容器付属器具を備え、当該複数の容器付属器具は、前記分散物の素材、色、形状、大きさのうちの少なくとも1つが互いに異なっており、前記複数の容器付属器具が注ぎ口に着脱可能に装着される複数の飲料用容器を、さらに備える飲料容器セット。